(57)【要約】      （修正有）【課題】安全性を高めたソーラーパネル安全アイソレータを提供する。【解決手段】ソーラーパネル安全アイソレータは、ソーラーパネル１３とアイソレータとの間に電気的通信を与えるため導体が各々接続され、内部電気的接続１５と、アイソレータと負荷との間に電気的通信を与える導体が各々接続される外部電気的接続１７であって、各々の内部電気的接続１５がこの外部電気的接続１７と電気的接続するようにされた外部電気的接続１７と、各々の内部接続と外部接続との間に電気的に挿入されて、全ての内部電気的接続１５から全ての外部電気的接続１７への外部電力供給を分離するように動作する電気的分離手段と、全ての内部電気的接続１５から全ての外部電気的接続１７への外部電力供給を分離するため電気的分離手段をトリップするように動作するトリップ手段であって、低電圧直流により付勢されるトリップ手段と、を備えている。【選択図】図１
0003182154.tif 000002
【実用新案登録請求の範囲】
【請求項１】
ソーラーパネル安全アイソレータにおいて、
１つ以上のソーラーパネルとアイソレータとの間に電気的通信を与えるため導体が各々接続される１つ以上の内部電気的接続と、
アイソレータと負荷との間に電気的通信を与えるために導体が各々接続される１つ以上の外部電気的接続であって、前記各々の内部電気的接続がこの１つ以上の外部電気的接続と電気的接続するようにされた外部電気的接続と、
前記各々の内部接続と外部接続との間に電気的に挿入され、そして前記全ての内部電気的接続から前記全ての外部電気的接続への外部電力供給を分離するように動作する電気的分離手段と、
前記全ての内部電気的接続から前記全ての外部電気的接続への外部電力供給を分離するために前記電気的分離手段をトリップするように動作するトリップ手段であって、低電圧直流により付勢されるトリップ手段と、
を備えたソーラーパネル安全アイソレータ。
【請求項２】
前記トリップ手段は、ソレノイドへ電力を供給するため導体が各々接続される１つ以上の電源接続を備え、前記トリップ手段への電力供給が遮断すると、前記トリップ手段が作動されて、前記全ての内部電気的接続から前記全ての外部電気的接続への外部電力供給を分離する、請求項１に記載のソーラーパネル安全アイソレータ。
【請求項３】
ハウジングに収容されたソレノイドと、
ソーラーパネルのバンクと、前記ソレノイドのハウジングを貫通する一対の内部電気的接続との間に導電性接続を与えるための一対の内部電気導体と、
一対の外部電気的接続間に導電性接続を与えるための一対の外部電気導体と、
前記ソレノイドに関連しそして前記ソレノイドのハウジングを貫通する１組の外部接点と、
を含む請求項１に記載のソーラーパネル安全アイソレータ。
【請求項４】
一対のブリッジ導体が、前記一対の内部接続と、前記ソレノイドハウジングを通る前記一対の外部接続との間に切断可能な電気的接続を与える、請求項３に記載のソーラーパネル安全アイソレータ。
【請求項５】
前記ソレノイドは、前記電力供給導体により給電されたときに前記内部接続と外部接続との間に電気的接続をなすように１組の接点を作動する、請求項４に記載のソーラーパネル安全アイソレータ。
【考案の詳細な説明】
【技術分野】
【０００１】
本考案は、ソーラーパネル安全アイソレータに係る。本考案は、１つ以上のソーラーパネルに実際上可能な限り電気的に接近して１つ以上のソーラーパネルを電源から分離するのに特に適用できる。又、本考案は、家庭用電源として使用されるソーラーパネルの分離にも特に適用できる。しかしながら、本考案は、家庭用以外の用途におけるソーラーパネルの安全分離にも適用できる。
【背景技術】
【０００２】
ソーラーパネルは、特に、家庭用途を除く多くの用途において電気を供給し又は電気の供給を補足するために使用されている。そのような用途では、通常、多数のソーラーパネルがパネルのバンク又はアレイに設けられ、そしてインバーターを通して電源に接続される。停電が生じると、電源は、義務付けられた安全分離スイッチにより停電から分離される。
【０００３】
火事、嵐又は洪水のような非常事態においては、被害を受けたビルが、通常、非常要員により主電源から分離される。しかしながら、ソーラーパネルは、ほとんどの状況において依然動作中である。というのは、ソーラーパネルは、光が当たれば、電気を発生するからである。多くの状況において、感電により死や重大な傷害を引き起こすに充分なエネルギーで８００Ｖまで発生される。
【０００４】
接点との電気機械的接続で主電源から駆動されるソレノイドを使用し、接点は、ソーラーパネルを分離し、そしてソレノイドが消勢されると、それらを短絡するソーラーパネル分離スイッチが提案されている。しかしながら、このようなシステムは、通常、回路のインバーター側に設けられる。他の点では、このようなシステムは、互いに接近した交流及び直流導体を備え、その結果、直流回路において電気的状態が変化したときに、直流回路に望ましからぬ誘起電流が、及び／又は交流回路に望ましからぬ過渡的電流が生じることがある。
【考案の概要】
【考案が解決しようとする課題】
【０００５】
本考案の目的は、上述した問題の１つ以上を軽減するソーラーパネル安全アイソレータを提供することである。本考案の他の目的及び効果は、以下の説明から明らかとなろう。
【課題を解決するための手段】
【０００６】
以上に鑑み、１つの態様において、本考案は、概して、
１つ以上のソーラーパネルとアイソレータとの間に電気的通信を与えるため導体が各々接続される１つ以上の内部電気的接続と、
アイソレータと負荷との間に電気的通信を与えるために導体が各々接続される１つ以上の外部電気的接続であって、前記各々の内部電気的接続がこの１つ以上の外部電気的接続と電気的接続するようにされた外部電気的接続と、
前記各々の内部接続と外部接続との間に電気的に挿入され、そして前記全ての内部電気的接続から前記全ての外部電気的接続への外部電力供給を分離するように動作する電気的分離手段と、
前記全ての内部電気的接続から前記全ての外部電気的接続への外部電力供給を分離するために前記電気的分離手段をトリップするように動作するトリップ手段と、
を備えたソーラーパネル安全アイソレータに関する。
【０００７】
好ましくは、トリップ手段は、ソレノイド等へ電力を供給するために導体が各々接続される１つ以上の電源接続を備え、トリップ手段への電力供給が遮断すると、トリップ手段が作動されて、前記全ての内部電気的接続から前記全ての外部電気的接続への外部電力供給を分離するようにされる。
【０００８】
本考案を容易に理解して実用化できるようにするために、本考案の好ましい実施形態を示す添付図面を参照する。
【図面の簡単な説明】
【０００９】
【図１】本考案によるソーラーパネル安全アイソレータの概略図である。
【考案を実施するための形態】
【００１０】
図１に示すソーラーパネル安全アイソレータ１０は、ハウジング１１に収容された双極ソレノイド１２を備えている。一対の内部電気導体１４は、ソーラーパネル１３のバンクと、ソレノイドのハウジングを貫通する一対の内部電気的接続１５との間の導電性接続をなす。一対の外部電気導体１６は、一対の外部電気的接続１６間に導電性接続を与える。ソレノイドは、ソレノイドハウジングを貫通する１組の外部接点１６、及びインバーター１８を動作する。
【００１１】
ソレノイドは、一対の低電圧電源導体１９によって給電され、この導体は、主電源から変圧器（図示せず）を通して給電される整流型低電力電源から電力を受ける。一対のブリッジ導体２１は、ソレノイドハウジングを貫通する一対の内部接続と一対の外部接続との間の切断可能な電気的接続をなす。ソレノイドは、電源導体により給電されたときに内部接続と外部接続との間に電気的接続をなすために１組の接点２０を作動する。
【００１２】
使用中、本考案による１つ以上のソーラーパネル安全アイソレータは、ソーラーパネル又はソーラーパネルのバンク間に電気的に挿入される。典型的な設置において、ソーラーパネル安全アイソレータは、屋根の上で実際上できる限りソーラーパネルに接近してマウントされる。ソーラーパネル安全アイソレータからの全ての関連する配線は、それが作動されるまで、付勢されず、それ故、安全である。もちろん、配線規定及び規格に基づいて主電源を分離するために他の標準的な電気安全装置が設置される。
【００１３】
本考案によるソーラーパネル安全アイソレータの主たる目的は、安全性である。第１に、本考案によるソーラーパネル安全アイソレータは、仕事が完了する前に付勢されたケーブルを取り扱わなくてよいという点でソーラーパネルの設置者の安全性を与える。
【００１４】
第２に、火事やその他ビルの災害の場合に、非常作業員や家の者がソーラーパネル安全アイソレータへの電力を切断すると、ソーラーパネル又はソーラーパネルアレイからのＤＣ電力が分離される（屋根の上を含めて）。ソーラーパネル安全アイソレータは、屋根や壁空洞内の潜在的な危険電流を除去することが明らかである。
【００１５】
第３に、ソーラーパネル安全アイソレータは、典型的に、短絡、電源導体の接地、等の場合にトリップされる義務付けられた安全スイッチと共に設置され、その際に、本考案によるソーラーパネル安全アイソレータも同様にトリップされて、電源をソーラーパネルから分離すると共に、電源を主電源から分離する。又、本考案によるソーラーパネル安全アイソレータは、回路ブレーカを取り付けるための設置点を与えるのに使用されてもよい。
【００１６】
本考案によるソーラーパネル安全アイソレータは、２つ以上の動作モードを有することが明らかである。ソレノイドへの低電圧電源が遮断された場合には、ソーラーパネルが分離される。低電圧電源の変圧器への主電源が遮断された場合にも、ソーラーパネルが分離される。主電源それ自体が遮断した場合にも、ソーラーパネルが分離される。それ故、ソーラーパネル安全アイソレータは、フェイルセーフの原理に従って動作し、ソレノイドが消勢されるモードに関わらず、ソーラーパネルが分離される。
【００１７】
以上、特定の好ましい例を参照して本考案を説明したが、当業者であれば、本考案は、実用新案登録請求の範囲によって規定された本考案の広い範囲内で他の形態で実施できることが明らかであろう。
【符号の説明】
【００１８】
１０：ソーラーパネル安全アイソレータ
１１：ハウジング
１２：ソレノイド
１３：ソーラーパネル
１４：内部電気導体
１５：内部電気的接続
１６：外部電気導体
１７：外部電気的接続
１８：インバーター
１９：低電圧電源導体
２０：接点
２１：ブリッジ導体
【図１】
0003182154.tif 000003